(57)【要約】【課題】カメラを水中で使用するときには、無線を使用する機能を停止し、電力消費が少なく、使用感の優れたデジタルカメラを提供する。【解決手段】  撮像素子と、画像ファイルの記録再生を行う記録手段と、水中における撮影動作を選択する水中撮影モード選択手段と、無線通信手段と、無線通信を禁止する無線通信禁止手段を有し、水中撮影モード選択手段により水中撮影モードが選択されているときには、無線通信手段の動作を禁止することを特徴とするデジタルカメラ。【選択図】        図１
2006166360.tif 000002
【特許請求の範囲】
【請求項１】
撮像素子と、画像ファイルの記録再生を行う記録手段と、水中における撮影動作を選択する水中撮影モード選択手段と、無線通信手段と、無線通信を禁止する無線通信禁止手段を有し、水中撮影モード選択手段により水中撮影モードが選択されているときには、無線通信手段の動作を禁止することを特徴とするデジタルカメラ。
【請求項２】
無線通信禁止手段は、無線通信手段に対する、電源供給の停止、あるいは無線通信手段に対する高周波の発振停止または高周波の供給停止のいずれかを実施することを特徴とする請求項１記載のデジタルカメラ。
【請求項３】
水中撮影モード選択手段が水中撮影モードを選択していないときに、記録手段に存在する画像ファイルを無線通信手段により転送することを特徴とする請求項１記載のデジタルカメラ。
【請求項４】
撮像素子と、画像ファイルの記録再生を行う記録手段と、水中における撮影動作を選択する水中撮影モード選択手段と、電波を受信することにより位置を検出する位置検出手段と、位置検出を禁止する位置検出禁止手段を有し、水中撮影モード選択手段により水中撮影モードが選択されているときには、位置検出手段の動作を禁止することを特徴とするデジタルカメラ。
【請求項５】
位置検出禁止手段は、位置検出手段に対する電源供給の停止、あるいは位置検出手段に対する高周波の発振停止または高周波の供給停止のいずれかを実施することを特徴とする請求項２記載のデジタルカメラ。
【請求項６】
撮像素子と、画像ファイルの記録再生を行う記録手段と、水中を検出する水中検出手段と、無線通信手段と、無線通信を禁止する無線通信禁止手段を有し、水中検出手段が水中を検出しているときには、無線通信手段の動作を禁止することを特徴とするデジタルカメラ。
【請求項７】
無線通信禁止手段は、無線通信手段に対する、電源供給の停止、あるいは無線通信手段に対する高周波の発振停止または高周波の供給停止のいずれかを実施することを特徴とする請求項６記載のデジタルカメラ。
【請求項８】
水中検出手段が水中を検出していないときに、記録手段に存在する画像ファイルを無線通信手段により転送することを特徴とする請求項６記載のデジタルカメラ。
【請求項９】
撮像素子と、画像ファイルの記録再生を行う記録手段と、撮影動作を選択する選択手段と、水中を検出する水中検出手段と、電波を受信することにより位置を検出する位置検出手段と、位置検出を禁止する位置検出禁止手段を有し、水中検出手段が水中を検出しているときには、位置検出手段の動作を禁止することを特徴とするデジタルカメラ。
【請求項１０】
位置検出禁止手段は、位置検出手段に対する電源供給の停止、あるいは位置検出手段に対する高周波の発振停止または高周波の供給停止のいずれかを実施することを特徴とする請求項９記載のデジタルカメラ。
【請求項１１】
撮像素子と、画像ファイルの記録再生を行う記録手段と、水中ハウジングを検出する水中ハウジング検出手段と、無線通信手段と、無線通信を禁止する無線通信禁止手段を有し、水中ハウジング検出手段が水中ハウジングを検出しているときには、無線通信手段の動作を禁止することを特徴とするデジタルカメラ。
【請求項１２】
無線通信禁止手段は、無線通信手段に対する、電源供給の停止、あるいは無線通信手段に対する高周波の発振停止または高周波の供給停止のいずれかを実施することを特徴とする請求項１１記載のデジタルカメラ。
【請求項１３】
水中ハウジング検出手段が水中ハウジングを検出していないときに、記録手段に存在する画像ファイルを無線通信手段により転送することを特徴とする請求項１１記載のデジタルカメラ。
【請求項１４】
撮像素子と、画像ファイルの記録再生を行う記録手段と、撮影動作を選択する選択手段と、水中ハウジングを検出する水中ハウジング検出手段と、電波を受信することにより位置を検出する位置検出手段と、位置検出を禁止する位置検出禁止手段を有し、水中ハウジング検出手段が水中ハウジングを検出しているときには、位置検出手段の動作を禁止することを特徴とするデジタルカメラ。
【請求項１５】
位置検出禁止手段は、位置検出手段に対する電源供給の停止、あるいは位置検出手段に対する高周波の発振停止または高周波の供給停止のいずれかを実施することを特徴とする請求項１４記載のデジタルカメラ。
【発明の詳細な説明】
【技術分野】
【０００１】
本発明は、デジタルスチルカメラやデジタルビデオカメラなどのデジタルカメラに関するものである。
【背景技術】
【０００２】
従来より、デジタルスチルカメラやデジタルビデオカメラなどの電子カメラが広く使われているが、この種のカメラの筐体を防水構造とすることにより水中で使用することを可能とした例が特許文献１に開示されている。カメラを水中で使用するには、この他に通常のカメラをアクリルなどの透明な防水ハウジングに収納して使用する方法もあり、特許文献２にはこの例が開示されている。
【０００３】
一方では、無線や携帯電話を使用してネットワークに接続することにより、通信機能を持たせたカメラが考えられている。この種のカメラは例えば撮影した画像ファイルをネットワークサーバに転送することにより、カメラの利便性を向上している。この種のカメラは特許文献３に開示されている。
【０００４】
さらにはＧＰＳ（グローバルポジショニングシステム）を使用してカメラの現在位置を計測し、撮影ファイルに対して位置情報を付加するカメラも考えられていて、特許文献４にはこの例が開示されている。
【０００５】
このような無線を利用した機能を備え、なおかつ水中でも使用することが可能なカメラが望まれている。
【特許文献１】特開２００１−２１９７９号公報
【特許文献２】特開平１０−３３３２３３号公報
【特許文献３】特開平２００１−１１１９７７号公報
【特許文献４】特開平７−３０７９１３号公報
【発明の開示】
【発明が解決しようとする課題】
【０００６】
しかしながら、無線通信あるいはＧＰＳを備えた防水カメラを構成した場合、無線通信やＧＰＳなど、高周波を利用する機能は、水が高周波を通さないため、水中で使用することができない。
【０００７】
それにもかかわらずこれらの機能を起動してしまうと、通信やＧＰＳが機能しないだけでなく、通信を試みるために高周波を発振する、高周波を送信する、などにより電力を無駄に消費し、カメラの使用可能時間を低下させる。カメラはバッテリを用いて動作するため、無駄な電力により使用可能時間が低下することは、ユーザーの利便性を大きく損ねる。
【０００８】
さらには、無駄に通信機能やＧＰＳ機能を起動することにより、カメラの動作を制御するマイクロプロセッサなどのシステムコントローラの負荷が無用に増大し、ユーザーがカメラを操作したときのカメラのレスポンスが低下し、カメラの使用感を損ねる。
【０００９】
本発明は上述の問題点に鑑み、カメラを水中で使用するときには、無線を使用する機能を停止し、電力消費が少なく、使用感の優れたデジタルカメラを提供することを目的とする。
【課題を解決するための手段】
【００１０】
上記問題を解決するために、本発明のデジタルカメラは以下のいずれかの手段を有する。
【００１１】
（１）撮像素子と、画像ファイルの記録再生を行う記録手段と、水中における撮影動作を選択する水中撮影モード選択手段と、無線通信手段と、無線通信を禁止する無線通信禁止手段を有し、水中撮影モード選択手段により水中撮影モードが選択されているときには、無線通信手段の動作を禁止する手段を有する。
【００１２】
（２）手段（１）において、無線通信禁止手段は、無線通信手段に対する、電源供給の停止、あるいは無線通信手段に対する高周波の発振停止または高周波の供給停止のいずれかを実施する手段である。
【００１３】
（３）手段（１）に加えて、選択手段が水中撮影モードを選択していないときに、記録手段に存在する画像ファイルを無線通信手段により転送する手段を有する。
【００１４】
（４）撮像素子と、画像ファイルの記録再生を行う記録手段と、撮影動作を選択する選択手段と、水中での撮影動作を行う水中撮影モードと、電波を受信することにより位置を検出する位置検出手段と、位置検出を禁止する位置検出禁止手段を有し、水中撮影モード選択手段により水中撮影モードが選択されているときには、位置検出手段の動作を禁止する手段を有する。
【００１５】
（５）手段（４）において、位置検出禁止手段は、位置検出手段に対する電源供給の停止、あるいは位置検出手段に対する高周波の発振停止または高周波の供給停止のいずれかを実施する手段である。
【００１６】
（６）撮像素子と、画像ファイルの記録再生を行う記録手段と、水中を検出する水中検出手段と、無線通信手段と、無線通信を禁止する無線通信禁止手段を有し、水中検出手段が水中を検出しているときには、無線通信手段の動作を禁止手段を有する。
【００１７】
（７）手段（６）において、無線通信禁止手段は、無線通信手段に対する、電源供給の停止、あるいは無線通信手段に対する高周波の発振停止または高周波の供給停止のいずれかを実施する手段である。
【００１８】
（８）手段（６）に加えて、水中検出手段が水中を検出していないときに、記録手段に存在する画像ファイルを無線通信手段により転送する手段を有する。
【００１９】
（９）撮像素子と、画像ファイルの記録再生を行う記録手段と、撮影動作を選択する選択手段と、水中を検出する水中検出手段と、電波を受信することにより位置を検出する位置検出手段と、位置検出を禁止する位置検出禁止手段を有し、水中検出手段が水中を検出しているときには、位置検出手段の動作を禁止する手段を有する。
【００２０】
（１０）位置検出禁止手段は、位置検出手段に対する電源供給の停止、あるいは位置検出手段に対する高周波の発振停止または高周波の供給停止のいずれかを実施する手段である。
【００２１】
（１１）撮像素子と、画像ファイルの記録再生を行う記録手段と、水中ハウジングを検出する水中ハウジング検出手段と、無線通信手段と、無線通信を禁止する無線通信禁止手段を有し、水中ハウジング検出手段が水中ハウジングを検出しているときには、無線通信手段の動作を禁止する手段を有する。
【００２２】
（１２）手段（１１）において、無線通信禁止手段は、無線通信手段に対する、電源供給の停止、あるいは無線通信手段に対する高周波の発振停止または高周波の供給停止のいずれかを実施する手段である。
【００２３】
（１３）手段（１１）に加えて、水中ハウジング検出手段が水中ハウジングを検出していないときに、記録手段に存在する画像ファイルを無線通信手段により転送する手段を有する。
【００２４】
（１４）撮像素子と、画像ファイルの記録再生を行う記録手段と、撮影動作を選択する選択手段と、水中ハウジングを検出する水中ハウジング検出手段と、電波を受信することにより位置を検出する位置検出手段と、位置検出を禁止する位置検出禁止手段を有し、水中ハウジング検出手段が水中ハウジングを検出しているときには、位置検出手段の動作を禁止する手段を有する。
【００２５】
（１５）位置検出禁止手段は、位置検出手段に対する電源供給の停止、あるいは位置検出手段に対する高周波の発振停止または高周波の供給停止のいずれかを実施する手段である。
【発明の効果】
【００２６】
本発明において、請求項１の発明では、選択手段により水中撮影モードが選択されているときには、無線通信手段の動作を禁止することにより、水中における無駄な電力消費、無駄な処理によるカメラの処理速度低下を防止し、利便性の高いカメラを実現する。
【００２７】
請求項２の発明では、無線通信手段に対する、電源供給の停止、あるいは無線通信手段に対する高周波の発振停止または高周波の供給停止のいずれかを実施することにより、確実に無線通信手段の動作を禁止し、請求項１の効果を得る。
【００２８】
請求項３の発明では、選択手段が水中撮影モードを選択していないときに、記録手段に存在する画像ファイルを無線通信手段により転送することにより、請求項１の効果に加えて、水中で撮影されたファイルを水中外で自動的に転送することによりカメラの利便性をより向上する。
【００２９】
請求項４の発明では、選択手段により水中撮影モードが選択されているときには、位置検出手段の動作を禁止することにより、水中における無駄な電力消費、無駄な処理によるカメラの処理速度低下を防止し、利便性の高いカメラを実現する。
【００３０】
請求項５の発明では、位置検出手段に対する電源供給の停止、あるいは位置検出手段に対する高周波の発振停止または高周波の供給停止のいずれかを実施することにより、確実に無線通信手段の動作を禁止し、請求項４の効果を得る。
【００３１】
請求項６の発明では、水中検出手段が水中を検出しているときには、無線通信手段の動作を禁止することにより、水中における無駄な電力消費、無駄な処理によるカメラの処理速度低下を防止し、利便性の高いカメラを実現する。
【００３２】
請求項７の発明では、無線通信手段に対する、電源供給の停止、あるいは無線通信手段に対する高周波の発振停止または高周波の供給停止のいずれかを実施することにより、確実に無線通信手段の動作を禁止し、請求項６の効果を得る。
【００３３】
請求項８の発明では、水中検出手段が水中を検出していないときに、記録手段に存在する画像ファイルを無線通信手段により転送することにより、請求項６の効果に加えて、水中で撮影されたファイルを水中外で自動的に転送することによりカメラの利便性をより向上する。
【００３４】
請求項９の発明では、水中検出手段が水中を検出しているときには、位置検出手段の動作を禁止することにより、水中における無駄な電力消費、無駄な処理によるカメラの処理速度低下を防止し、利便性の高いカメラを実現する。
【００３５】
請求項１０の発明では、位置検出手段に対する電源供給の停止、あるいは位置検出手段に対する高周波の発振停止または高周波の供給停止のいずれかを実施することにより、確実に無線通信手段の動作を禁止し、請求項９の効果を得る。
【００３６】
請求項１１の発明では、水中ハウジング検出手段が水中ハウジングを検出しているときには、無線通信手段の動作を禁止することにより、水中における無駄な電力消費、無駄な処理によるカメラの処理速度低下を防止し、利便性の高いカメラを実現する。
【００３７】
請求項１２の発明では、無線通信手段に対する、電源供給の停止、あるいは無線通信手段に対する高周波の発振停止または高周波の供給停止のいずれかを実施することにより、確実に無線通信手段の動作を禁止し、請求項１１の効果を得る。
【００３８】
請求項１３の発明では、水中ハウジング検出手段が水中ハウジングを検出していないときに、記録手段に存在する画像ファイルを無線通信手段により転送することにより、請求項１１の効果に加えて、水中で撮影されたファイルを水中外で自動的に転送することによりカメラの利便性をより向上する。
【００３９】
請求項１４の発明では、水中ハウジング検出手段が水中ハウジングを検出しているときには、位置検出手段の動作を禁止することにより、水中における無駄な電力消費、無駄な処理によるカメラの処理速度低下を防止し、利便性の高いカメラを実現する。
【００４０】
請求項１５の発明では、位置検出手段に対する電源供給の停止、あるいは位置検出手段に対する高周波の発振停止または高周波の供給停止のいずれかを実施することにより、確実に無線通信手段の動作を禁止し、請求項１４の効果を得る。
【発明を実施するための最良の形態】
【００４１】
以下本発明を実施するための最良の形態を、実施例により詳しく説明する。
【実施例１】
【００４２】
図１は本発明によるデジタルカメラの構成を示すブロック図である。１は本構成のデジタルカメラの筐体であり、本体内に水の浸入を防ぐために接合部などに防水パッキンを用い、カメラ内部を密閉する。
【００４３】
システムコントローラ９はカメラの動作を制御するためのコントローラで、マイクロプロセッサにより構成される。システムコントローラにはシステムバス２を経由してＲＯＭ７が接続され、システムコントローラはＲＯＭ７に記録されたプログラムを実行することにより、カメラの制御を行う。
【００４４】
１０はシステムのクロックジェネレータで、システムの動作クロックを発振する。１１はシステムの電源であり、バッテリと定電圧回路から構成され、システム各部に電源の供給を行う。
【００４５】
カメラにはカメラを操作するために十字キーや押しボタンなどのスイッチが備えられる。１３はこれらのスイッチよりなるスイッチ群である。また、カメラには動作モードを選択するための回転式の動作モード選択スイッチ１４が備えられる。ユーザーは動作モード選択スイッチ１４によりカメラの動作として、フルオート撮影、マニュアル撮影、画像再生といったカメラの動作を選択することが可能であり、本カメラはこれに付加して水中撮影モードを備えている。また、スイッチ群１３および動作モード選択スイッチ１４はＩ／Ｏポート１２に接続され、システムコントローラはシステムバス２を経由してＩ／Ｏポート１２をリードアクセスすることにより、スイッチの状態を認識することが可能となっている。
【００４６】
メモリカード２６はメモリカードソケット２７に対して着脱可能な記録メディアであり、密閉構造を持つふたを通して筐体の中に収納される。カメラはメモリカード２６に対して画像ファイルを記録すること、あるいはメモリカードから画像ファイルを読み出し、これをディスプレイの表示（再生）することが可能である。メモリカード２６は、メモリカードソケット２７を経由してシステムバス２に接続されている。
【００４７】
さらに本カメラは外部のネットワークと無線を使用して通信するために、通信インタフェース１５、ＲＦモジュール１６、アンテナ１７が搭載されている。通信インタフェース１５はシステムバス２に接続され、システムコントローラやＲＡＭ８との間でデータの転送を行う。また、ＲＦモジュールはデータの変調、増幅、あるいは復調を行うモジュールで、通信インタフェースとの間はデジタルデータが転送される。１８はＲＦモジュールを動作させるためのクロックジェネレータで、無線通信で用いる基本波を発振する。１９はＲＦモジュールを動作させるための電源である。クロックジェネレータ１８および電源１９はＩＯポート１２によりクロックのオンオフ、電源のオンオフが制御される。
【００４８】
また、本カメラは位置情報を取得するためのＧＰＳ（グローバルポジショニングシステム）が装備される。２０はＧＰＳインタフェースであり、システムバス２に接続され、システムコントローラ９からデータのリードアクセスが可能となっている。２１はＧＰＳモジュールであり、アンテナ２２が受信した電波を処理し、位置情報を演算する。２３はＧＰＳモジュールを動作させるためのクロックジェネレータで、ＧＰＳの受信回路を動作させるための基本波を発振する。２４はＧＰＳモジュールを動作させるための電源である。クロックジェネレータ２３および電源２４はＩ／Ｏポート１２によりクロックのオンオフ、電源のオンオフが制御される。
【００４９】
また、本カメラの撮像部は以下のように構成されている。撮像素子３は入射する像を電気信号に変換する。これを撮像回路４は電気信号の振幅を調整しさらに相関二重サンプリングし、さらにデジタルデータに変換する。画像処理５はこれに対して色変換処理やデータ圧縮を施しデータをＲＡＭ８に記録する。システムコントローラ９からの指示によりＲＡＭ８上の圧縮画像データをメモリカード２６に記録することが可能である。
【００５０】
ディスプレイ６は撮影によってメモリカード２６に記録されたファイルの画像や、カメラの情報などを表示するディスプレイである。また、ディスプレイは撮像素子に入射している像をリアルタイムで表示することにより、ビューファインダーとしても機能する。
【００５１】
本カメラは撮影モードとして通常の撮影モードのほかに水中撮影モードを備える。水中撮影モードは撮影感度を高く設定するほかに、無線通信機能やＧＰＳ機能の動作を禁止するモードである。このモードは動作モード選択スイッチ１４にて選択することが可能である。
【００５２】
次に図２を用いて本装置の動作を説明する。
【００５３】
ユーザーがスイッチ群１３に含まれるシャッタースイッチを操作することにより、カメラに対して撮影の開始を指令したとする。これにより図２の撮影処理がＳ１００よりスタートする。システムコントローラ９はＳ１０１において、動作モード選択スイッチ１４より撮影モードが水中モードか通常の撮影モードであるかを読み取り、水中モードであった場合は処理をＳ１０２に、通常モードであった場合は処理をＳ１１０に進める。
【００５４】
ここでは動作モード選択スイッチが通常モードに設定されているとし、Ｓ１１０以後の処理の説明を行う。Ｓ１１０において、撮影動作が行われる。撮影動作は、まずＳ１０１にて撮像素子３、撮像回路４、画像処理５をコントロールし、圧縮処理された画像データをＲＡＭ８に生成する。
【００５５】
次にシステムコントローラはＳ１１１にてＧＰＳモジュール２１の電源２４をオンに制御し、ＧＰＳモジュールへの電源供給を開始する。さらにクロックジェネレータ２３を制御し、ＧＰＳモジュールにクロックの供給を開始する。さらにクロックジェネレータ１０を制御し、ＧＰＳインタフェース２０へのクロック供給も開始する。次にシステムコントローラはＳ１１３にてＧＰＳモジュールから位置情報を読み出し、これを先の撮影によってＲＡＭ８に記録されている画像データに付加する。そしてＳ１１９にてＧＰＳモジュールへのクロックと電源の供給を停止する。
【００５６】
この後システムコントローラは画像データの記録先をＳ１１４にて判断する。画像データの記録先は、撮影に前もってユーザーがカメラに設定する。このとき、ユーザーはスイッチ群１３を操作し、ディスプレイ６で設定状況を確認しながらカメラに対して設定を行う。画像データの記録先は、内蔵ストレージすなわちメモリカード２６か、ネットワーク接続された先のサーバのいずれかを選択する。設定された情報はＲＡＭ８に保存される。システムコントローラはＳ１１３においてＲＡＭ８に記録された値を判断する。
【００５７】
記録先が内蔵ストレージであった場合、システムコントローラはＳ１０５にて画像データをメモリカード２６に記録し、Ｓ１１８にて撮影処理を終了する。
【００５８】
記録先がネットワーク接続された先のサーバであった場合、システムコントローラはＳ１１５にてＲＦモジュール１６の電源１９をオンに制御し、さらにクロックジェネレータ１８をオンに制御し、ＲＦモジュールへのクロック供給を開始する。さらにシステムコントローラはクロックジェネレータ１０を制御し、無線通信インタフェース１５のクロック供給を開始する。そしてＳ１１７にてサーバとの間にネットワーク接続を確立し、さらにサーバに対して画像データを転送する。その後Ｓ１２０にてＲＦモジュールへの電源、クロックの供給および通信インタフェースへのクロック供給を停止し、Ｓ１１８にて撮影処理を終了する。
【００５９】
次にＳ１０１にて撮影モードが水中に設定されている場合の処理を説明する。水中モードでの撮影は、まずＳ１０２において撮影感度設定を変更する。これは一般的に水中は空中と比較して暗い場合が多いためである。感度設定は撮像回路のゲインを高く設定することによって行う。ただし、ユーザーがこれを望まない場合は、前もってカメラに対して水中モード時の感度変更を行わないことをカメラに対して設定しておけば、システムコントローラはＳ１０２，Ｓ１０４を処理しない。
【００６０】
システムコントローラはＳ１０３において撮影動作を行う。これによりＲＡＭに画像データが生成される。さらにＳ１０４にて感度設定を元のＳ１０２で変更する前の値に戻し、Ｓ１０５にてメモリカードに画像データを記録し、Ｓ１１８にて撮影動作を終了する。
【００６１】
本発明は、ユーザーが撮影モードとして水中モードを選択している間、上記の処理により撮影によって生成された画像ファイルをネットワークサーバに転送することを行わない。しかし、ユーザーが他の撮影モードを選択したときに、メモリカード２６に撮影によって生成された画像ファイルが存在する場合、無線通信インタフェースおよびＲＦユニットに電源とクロックの供給を開始し、サーバとの間のネットワーク接続を確立し、ファイルの転送を行う。
【００６２】
このように実施例１のカメラは撮影モードとして水中が選択されている場合、無線通信機能やＧＰＳ機能に電源を供給せず、また、通信や位置情報の取得を試みることも無い。したがって、無駄な電力消費や、システムコントローラの無駄な動作によるカメラのレスポンス、例えば撮影間隔時間などの低下を防止することが可能である。
【実施例２】
【００６３】
図３は本発明によるデジタルカメラの第２の実施例における構成を示すブロック図であり、第１の実施例で述べた構成と比較して水圧センサ２５が追加されている。水圧センサはＩ／Ｏポートに接続されたセンサで、水圧のある、なしを検知し、この情報を出力する。システムコントローラは水圧センサの出力値をＩ／Ｏポート１２を経由して検出することが可能である。
【００６４】
この他の部分の構成は第１の実施例と同じであるのでここでは説明を行わない。
【００６５】
次に第２の実施例における動作の説明を行う。
【００６６】
システムコントローラはスイッチ群１３に含まれるシャッタースイッチがユーザーにより操作されたことを検出すると、撮影処理をＳ２００からスタートする。まずＳ２０１にて被写体像を撮影し、これによって得た画像データをＲＡＭ８に記録する。次にＳ２０２にて水圧センサ２５の状態を取得する。水圧センサが水圧を検知していない状態である場合、システムコントローラは処理をＳ２０３に進め、ＧＰＳモジュール２１の電源２４をオンに制御し、ＧＰＳモジュールへの電源供給を開始する。さらにクロックジェネレータ２３を制御し、ＧＰＳモジュールにクロックの供給を開始する。さらにクロックジェネレータ１０を制御し、ＧＰＳインタフェース２０へのクロック供給も開始する。次にシステムコントローラはＳ２０４にてＧＰＳモジュールから位置情報を読み出し、これを先の撮影によってＲＡＭ８に記録されている画像データに付加する。さらにシステムコントローラはＳ２２１にてＧＰＳモジュールへのクロックおよび電源の供給を停止する。
【００６７】
Ｓ２０２にて水圧センサが水圧を検知している場合、システムコントローラは処理をＳ２０５に進め、ＧＰＳからの位置情報取得は行わない。
【００６８】
次にシステムコントローラはＳ２０５にて画像データの記録先を判断する。画像データの記録先はユーザーにより撮影に前もって設定されていて、この値はＲＡＭ８に記憶されている。記録先が内蔵ストレージ、すなわちメモリカード２６であった場合、システムコントローラは処理をＳ２０７に進める。
【００６９】
記録先がネットワーク接続されたサーバであった場合、システムコントローラはＳ２０６にて、ＲＡＭ８上に存在する画像データに対して、この画像データがサーバに記録すべきものであることを示すフラグを付加する。フラグは画像データをファイル化する際に、ファイルのヘッダー部に記録される。このあとシステムコントローラは処理をＳ２０７に進め、撮影によって生成された画像データをファイル化し、メモリカード２６に記録する。そしてＳ２０８にて撮影処理を終了する。
【００７０】
本実施例のカメラでは、上記説明した処理とは別に、システムコントローラに内蔵されたタイマをトリガとして所定時間ごとに起動される処理が存在する。以下に図５を用いてこれについて説明する。システムコントローラはタイマが発生するトリガを検知すると、Ｓ２１０から処理を開始する。そしてＳ２２０にてメモリカード内に存在するファイルに関する情報を読み出し、サーバに記録すべきファイルがメモリカード内に１ファイルでも存在するかどうかを調査する。存在しない場合は処理をＳ２１９にすすめ、この処理を終了する。
【００７１】
Ｓ２２０にて転送すべきファイルが存在した場合、システムコントローラは処理をＳ２１１に進め、水圧センサの状態を調査する。水圧が検出されない場合、システムコントローラは処理をＳ２１２に進め、ＲＦモジュール１６の電源１９をオンに制御し、さらにクロックジェネレータ１８をオンに制御し、ＲＦモジュールへのクロック供給を開始する。さらにシステムコントローラはクロックジェネレータ１０を制御し、通信インタフェース１５のクロック供給を開始する。そしてサーバとの間にネットワーク接続を確立する。
【００７２】
次にＳ２１３においてメモリカード内に存在する、ファイルの数を取得し、同時にファイルを指定するポインタを０にリセットする。システムコントローラはポインタが示す順番にファイルを選択し、Ｓ２１４においてこれの情報部にサーバに転送すべきファイルであることを示すフラグが存在するかどうかを調査する。サーバに転送すべきファイルであった場合、システムコントローラはＳ２１５にてこのファイルをサーバに転送し、Ｓ２１６にてこのファイルをメモリカードから消去する。さらにＳ２１７にてファイルポインタに１を加算し、Ｓ２１８にてメモリカード内のファイルの走査がすべて達成されたかどうかを確認する。確認はファイルポインタが処理開指示のファイル数−１と等しくなったかどうかを比較することによって行う。
【００７３】
ファイルの走査が終了していない場合は処理をＳ２１４に戻し、次のファイルの情報を調査し、これが転送すべきファイルであるならばサーバに転送し、メモリカードからは消去する。このループ処理はメモリカード内のすべてのファイルについて、Ｓ２１４の処理がなされるまで続けられ、すべてのファイルの転送要求フラグが調査されると、システムコントローラはＳ２１８にて処理をＳ２２０に進めてＲＦモジュールへのクロック、電源の供給および通信インタフェース１５へのクロック供給を停止し、さらにＳ２１９にて処理を終了する。
【００７４】
以上の動作により、実施例２のカメラは水中にて使用されている間は、無線通信やＧＰＳといった無線を使用する機能の動作を禁止し、無駄な電力消費を防止する。さらには、カメラが水中に存在しないときに、カメラが自動的に通信機能を使用サーバに転送すべきファイルをサーバに転送する。したがって、ファイルをサーバに転送する、というユーザーの要求は、ユーザーが特別な操作を行うことなしに達成される。
【００７５】
なお、本実施例はカメラの筐体を防水処理せず、カメラを防水ハウジングに収納して使用する場合においても同様な効果を得ることが可能である。
【００７６】
図６は防水ハウジングを使用する例であり、この場合、カメラの筐体３０は防水処理を施す必要は無い。３１は防水ハウジングであり、アクリルなどの透明部材を用い、開口部に防水手段を有し、カメラを水密に収納することが可能である。また、防水ハウジングは、カメラが防水ハウジングに収納されていることを検知することを可能とするために、磁石３３を備えている。
【００７７】
カメラのシステムは図３において水圧センサ２５をハウジングを検出することが可能であるセンサ、ここでは磁気センサ３２に置き換えることによって構成する。磁気センサ３２はカメラが水中ハウジングに収納されると、磁石３３が接近することにより、出力信号に変化を生ずる。システムコントローラ９はＩ／Ｏポート１２を経由してこのことを検知することにより、カメラが水中ハウジングにあることを判断することが可能となる。
【００７８】
これにおいて、すでに説明した図４、図５の処理を行う。図４、図５において、水圧を検知する処理はすべて水中ハウジングを検出するか否かに置き換える。
【００７９】
これにより、防水ハウジングを使用するカメラにおいても、水中ハウジングに収納して使用されている間、すなわち水中にて使用されている間は、無線通信やＧＰＳといった無線を使用する機能の動作を禁止し、無駄な電力消費を防止する。さらには、カメラが水中ハウジングから出されたときに、カメラが自動的に通信機能を使用サーバに転送すべきファイルをサーバに転送する。そしてこれらによりカメラの利便性を大きく向上する。
【００８０】
以上のように実施例１及び２に述べたデジタルカメラは、水中において高周波を使用する機能の動作を禁止する。
【００８１】
これにより、高周波を発振、送信などにより発生する無駄な電力消費を解消し、バッテリの持続時間を伸ばすことによりカメラの利便性を向上する。
【００８２】
さらには、無駄な機能の動作によるシステムコントローラの負荷増大を防止することにより、カメラの使用感を向上する。
【００８３】
さらに実施例２に述べたデジタルカメラは、水中においてサーバに転送することができなかったファイルを、後に水中に存在しない時間を用いて自動的にサーバに転送する。これによりユーザーが持つ、ファイルをサーバに記録する、という目的が、例え水中で撮影されたファイルであったとしても達成され、カメラの利便性が大きく向上する。
【図面の簡単な説明】
【００８４】
【図１】本発明の実施例１の構成を示す図である。
【図２】本発明の実施例１における動作の流れを示す図である。
【図３】本発明の実施例２の構成を示す図である。
【図４】本発明の実施例２における撮影動作の流れを示す図である。
【図５】本発明の実施例２におけるファイル転送動作の流れを示す図である。
【図６】本発明の実施例２における防水ハウジングを使用する例を示す図である。
【符号の説明】
【００８５】
１  デジタルカメラの筐体
２  システムバス
３  撮像素子
４  撮像回路
５  画像処理
６  ディスプレイ
７  ＲＯＭ
８  ＲＡＭ
９  システムコントローラ
１０  システムクロックジェネレータ
１１  システム電源
１２  Ｉ／Ｏポート
１３  スイッチ群
１４  動作モード選択スイッチ
１５  通信インタフェース
１６  ＲＦモジュール
１７  アンテナ
１８  ＲＦ基本波発振回路
１９  ＲＦ電源
２０  ＧＰＳインタフェース
２１  ＧＰＳモジュール
２２  ＧＰＳアンテナ
２３  ＧＰＳ基本波発振回路
２４  ＧＰＳ電源
２５  水圧センサ
２６  メモリカード
２７  メモリカードソケット
３０  カメラ筐体
３１  防水ハウジング
３２  磁気センサ
３３  永久磁石
【図１】
2006166360.tif 000003
【図２】
2006166360.tif 000004
【図３】
2006166360.tif 000005
【図４】
2006166360.tif 000006
【図５】
2006166360.tif 000007
【図６】
2006166360.tif 000008